(57)【要約】【課題】  品種の異なる磁気テープに対してそれぞれ適切なサーボ信号を書き込み、また、書き込まれたサーボ信号を検査できるサーボライタおよびそのサーボライタを用いるサーボ信号の書込・検査方法を提供する。【解決手段】  サーボライタ本体と、前記サーボライタ本体に設けられたパネル交換部に交換可能に装着されるユニットパネルとを備え、前記ユニットパネルは、前記磁気テープにサーボ信号を書き込むサーボ信号書込ヘッドと、前記磁気テープに書き込まれたサーボ信号を読み取るサーボ信号検査ヘッドと、前記サーボ信号書込ヘッドによるサーボ信号の書込みを制御する書込み副制御手段と、前記サーボ信号検査ヘッドによって読み取られたサーボ信号を増幅する増幅手段とを備える。【選択図】      図１
2006079739.tif 000002
【特許請求の範囲】
【請求項１】
磁気テープにサーボ信号を書き込むとともに、書き込まれたサーボ信号を読み取って検査するサーボライタであって、
サーボライタ本体と、前記サーボライタ本体に設けられたパネル交換部に、前記サーボ信号が書き込まれる磁気テープの品種に応じて交換可能に装着される複数のユニットパネルとを備え、
前記複数のユニットパネルは、それぞれ前記磁気テープにサーボ信号を書き込むサーボ信号書込ヘッドと、前記サーボ信号書込ヘッドによるサーボ信号の書込みを制御する書込み副制御手段とを備え、前記サーボ信号書込ヘッドおよび前記書込み副制御手段は、前記磁気テープの品種に応じて所定のサーボ信号を前記磁気テープに書き込み可能に構成され、
前記サーボライタ本体は、前記サーボ信号書込みヘッドによる前記磁気テープへのサーボ信号の書込みを主制御するサーボ信号主制御手段と、前記磁気テープに書き込まれたサーボ信号を読み取るサーボ信号読取ヘッドと、読み取られたサーボ信号を処理してサーボ信号を検査するサーボ信号検査手段とを備えることを特徴とするサーボライタ。
【請求項２】
前記ユニットパネルは、前記サーボ信号書込みヘッドに摺接して走行する磁気テープの幅方向の位置を規制するテープガイド部を備えることを特徴とする請求項１に記載のサーボライタ。
【請求項３】
前記ユニットパネルに設けられた識別子および／または前記サーボライタ本体に設けられた切り換え手段によって、前記磁気テープの品種に応じて、前記磁気テープに所定のサーボ信号を書き込み、書き込まれたサーボ信号を読み取って検査できるようにしたことを特徴とする請求項１または請求項２に記載のサーボライタ。
【請求項４】
磁気テープにサーボ信号を書き込むとともに、書き込まれたサーボ信号を読み取って検査するサーボライタであって、
サーボライタ本体と、前記サーボライタ本体に設けられたパネル交換部、前記サーボ信号が書き込まれる磁気テープの品種に応じて交換可能に装着される複数のユニットパネルとを備え、
前記ユニットパネルは、前記磁気テープにサーボ信号を書き込むサーボ信号書込ヘッドと、前記磁気テープに書き込まれたサーボ信号を読み取るサーボ信号読取ヘッドと、前記サーボ信号書込ヘッドによるサーボ信号の書込みを制御する書込み副制御手段と、前記サーボ信号読取ヘッドによって読み取られたサーボ信号を増幅する増幅手段とを備え、前記サーボ信号書込ヘッド、前記サーボ信号読取ヘッド、前記書込み副制御手段および前記増幅手段は、前記磁気テープの品種に応じて所定のサーボ信号を前記磁気テープに書き込み可能および読取り可能に構成され、
前記サーボライタ本体は、前記サーボ信号書込みヘッドによる前記磁気テープへのサーボ信号の書込みを主制御するサーボ信号主制御手段と、前記増幅手段から送信される、増幅されたサーボ信号を処理してサーボ信号を検査するサーボ信号検査手段とを備えることを特徴とするサーボライタ。
【請求項５】
前記ユニットパネルは、前記サーボ信号書込みヘッドに摺接して走行する磁気テープの幅方向の走行を規制するテープガイド部と、前記サーボ信号読取ヘッドに摺接する磁気テープの幅方向の位置を規制するテープガイド部とを備えることを特徴とする請求項４に記載のサーボライタ。
【請求項６】
前記ユニットパネルに設けられた識別子および／または前記サーボライタ本体に設けられた切り換え手段によって、前記磁気テープの品種に応じて、前記磁気テープに所定のサーボ信号を書き込み、書き込まれたサーボ信号を読み取って検査できるようにしたことを特徴とする請求項４または請求項５に記載のサーボライタ。
【請求項７】
請求項１ないし請求項７のいずれか１項に記載のサーボライタを用いて、磁気テープの品種を識別してその磁気テープに所定のサーボ信号を書き込めるように、前記ユニットパネルを交換することを特徴とするサーボ信号の書込・検査方法。
【請求項８】
磁気テープにサーボ信号を書き込むとともに、書き込まれたサーボ信号を読み取って検査するサーボライタであって、
サーボライタ本体と、前記サーボライタ本体に設けられたパネル交換部に、前記サーボ信号が書き込まれる磁気テープの品種に応じて交換可能に装着される複数の第１ユニットパネルおよび複数の第２ユニットパネルとを備え、
前記複数の第１ユニットパネルは、前記磁気テープにサーボ信号を書き込むサーボ信号書込ヘッドと、前記サーボ信号書込ヘッドによるサーボ信号の書込みを制御する書込み副制御手段とを備え、前記サーボ信号書込ヘッドおよび前記書込み副制御手段は、前記磁気テープの品種に応じて所定のサーボ信号を前記磁気テープに書き込み可能に構成され、
前記第２ユニットパネルは、前記磁気テープに書き込まれたサーボ信号を読み取るサーボ信号読取ヘッドと、前記サーボ信号読取ヘッドによって読み取られたサーボ信号を増幅する増幅手段とを備え、前記サーボ信号読取ヘッドおよび前記増幅手段は、前記磁気テープの品種に応じて前記磁気テープに書き込まれるサーボ信号を読取り可能に構成され、
前記サーボライタ本体は、前記サーボ信号書込みヘッドによる前記磁気テープへのサーボ信号の書込みを主制御するサーボ信号主制御手段と、前記増幅手段から送信された、増幅されたサーボ信号を処理してサーボ信号を検査するサーボ信号検査手段とを備えることを特徴とするサーボライタ。
【請求項９】
前記第１ユニットパネルは、前記サーボ信号書込みヘッドに摺接して走行する磁気テープの幅方向の走行を規制するテープガイド部を備え、前記第２ユニットパネルは、前記サーボ信号読取ヘッドに摺接する磁気テープの幅方向の位置を規制するテープガイドを備えることを特徴とする請求項８に記載のサーボライタ。
【請求項１０】
前記第１ユニットパネルおよび第２ユニットパネルに設けられた識別子および／または前記サーボライタ本体に設けられた切り換え手段によって、前記磁気テープの品種に応じて、前記磁気テープに所定のサーボ信号を書き込み、書き込まれたサーボ信号を読み取って検査できるようにしたことを特徴とする請求項７または請求項８に記載のサーボライタ。
【請求項１１】
請求項８ないし請求項１０のいずれか１項に記載のサーボライタを用いて、前記磁気テープの品種を識別してその磁気テープに所定のサーボ信号を書き込めるように、前記第１ユニットパネルおよび／または第２ユニットパネルを交換することを特徴とするサーボ信号の書込・検査方法。
【発明の詳細な説明】
【技術分野】
【０００１】
本発明は、磁気テープにサーボ信号を記録するサーボライタおよびサーボ信号の書込・検査方法に関する。
【背景技術】
【０００２】
従来、データを記録／再生するための記録媒体として、磁気テープが広く用いられている。この磁気テープには、単位面積当たりの記録密度を高くするために、データを記録するデータトラックが磁気テープの幅方向に多数形成されている。この磁気テープでは、様々な理由により走行時に微小な幅方向の移動を繰り返すため、データの記録／再生時に、記録／再生ヘッドがデータトラックを完全にトレースすることが困難となる。そこで、この種の磁気テープを記録／再生する装置では、データの記録／再生時に、予め磁気テープに書き込まれているサーボ信号を基準にして、磁気テープに対する記録／再生ヘッドのトラッキングを動的に制御している。すなわち、記録／再生ヘッドと一体に形成されたサーボ信号読取ヘッドでサーボ信号を読み取り、磁気テープの幅方向における記録／再生ヘッドの位置のずれを検出し、このずれを修正するように記録／再生ヘッドを移動または磁気テープの走行状態を制御している。このサーボ信号は、専用のサーボライタにより、予め磁気テープの走行方向に沿って書き込まれる（特許文献１参照）。
【０００３】
このサーボ信号は、磁気テープの品種別に異なったパターンで磁気テープに書き込まれるため、サーボ信号を書き込むサーボライタは各品種に合わせて特化されている。そのため、一品種の磁気テープへのサーボ信号の書込みに用いているサーボライタを他品種の磁気テープへのサーボ信号の書込みに転用するためには、サーボライタを改造したり、書込むサーボ信号パターンと、書き込んだサーボ信号を検査・評価する基準を変更するために制御回路を変更したりすることが必要となる。すなわち、品種の異なる磁気テープに対して、その磁気テープに対応するサーボパターンを書き込むために、サーボ信号書き込みヘッド、もしくはその回路、および再生ヘッドもしくはその回路について取り付け直しの作業や、条件の変更が必要であった。そのため、サーボライタを長時間停止させる必要があり、生産性とコストの点で問題があった。一方、こうしたサーボ信号書き込みヘッドの取り付け直し等の作業による問題を回避するため、各品種に対応したサーボライタを、製造する品種の数だけ用意しているが、設備費用、コストの面で問題がある。
【０００４】
しかし、近年、磁気テープの市場はフォーマットの多様化のため、多種多様な製品を適時適量生産することが求められている。こうした異なる品種の磁気テープを効率良く生産するためには、その磁気テープにサーボ信号を書き込むサーボライタにも、品種の変更に機動的に対応して、サーボ信号書き込みヘッド等を切り換えて、磁気テープ毎に適切なサーボ信号を書込み、かつ書き込まれたサーボ信号を検査できることが求められている。
【特許文献１】特開２００３−１４１８３６号公報（段落０００２〜０００５）
【発明の開示】
【発明が解決しようとする課題】
【０００５】
本発明は、このような事情に鑑みてなされたもので、品種の異なる磁気テープに対してそれぞれ適切なサーボ信号を書き込み、また、書き込まれたサーボ信号を検査できるサーボライタおよびそのサーボライタを用いるサーボ信号の書込・検査方法を提供することを目的とする。
【課題を解決するための手段】
【０００６】
前記課題を解決するため、本発明の第１の解決手段に係るサーボライタは、磁気テープにサーボ信号を書き込むとともに、書き込まれたサーボ信号を読み取って検査するサーボライタであって、サーボライタ本体と、前記サーボライタ本体に設けられたパネル交換部に、前記サーボ信号が書き込まれる磁気テープの品種に応じて交換可能に装着される複数のユニットパネルとを備え、前記複数のユニットパネルは、それぞれ前記磁気テープにサーボ信号を書き込むサーボ信号書込ヘッドと、前記サーボ信号書込ヘッドによるサーボ信号の書込みを制御する書込み副制御手段とを備え、前記サーボ信号書込ヘッドおよび前記書込み副制御手段は、前記磁気テープの品種に応じて所定のサーボ信号を前記磁気テープに書き込み可能に構成され、前記サーボライタ本体は、前記サーボ信号書込ヘッドによる前記磁気テープへのサーボ信号の書込みを主制御するサーボ信号主制御手段と、前記磁気テープに書き込まれたサーボ信号を読み取るサーボ信号読取ヘッドと、読み取られたサーボ信号を処理してサーボ信号を検査するサーボ信号検査手段とを備えることを特徴とする。
【０００７】
このサーボライタでは、サーボライタ本体に設けられたパネル交換部に、サーボ信号書込ヘッドと、サーボ信号読取ヘッドとを備えるユニットパネルを交換することによって、品種の異なる磁気テープに対応してそれぞれ適切なサーボ信号を書き込み、また、書き込まれたサーボ信号を検査することが可能になる。
【０００８】
また、本発明の第２の解決手段に係るサーボライタは、磁気テープにサーボ信号を書き込むとともに、書き込まれたサーボ信号を読み取って検査するサーボライタであって、サーボライタ本体と、前記サーボライタ本体に設けられたパネル交換部、前記サーボ信号が書き込まれる磁気テープの品種に応じて交換可能に装着される複数のユニットパネルとを備え、前記ユニットパネルは、前記磁気テープにサーボ信号を書き込むサーボ信号書込ヘッドと、前記磁気テープに書き込まれたサーボ信号を読み取るサーボ信号読取ヘッドと、前記サーボ信号書込ヘッドによるサーボ信号の書込みを制御する書込み副制御手段と、前記サーボ信号読取ヘッドによって読み取られたサーボ信号を増幅する増幅手段とを備え、前記サーボ信号書込ヘッド、前記サーボ信号読取ヘッド、前記書込み副制御手段および前記増幅手段は、前記磁気テープの品種に応じて所定のサーボ信号を前記磁気テープに書き込み可能および読取り可能に構成され、前記サーボライタ本体は、前記サーボ信号書込ヘッドによる前記磁気テープへのサーボ信号の書込みを主制御するサーボ信号主制御手段と、前記増幅手段から送信される、増幅されたサーボ信号を処理してサーボ信号を検査するサーボ信号検査手段とを備えることを特徴とする。
【０００９】
このサーボライタでは、サーボライタ本体に設けられたパネル交換部に、サーボ信号書込ヘッドと、サーボ信号読取ヘッドと、書込み副制御手段と、増幅手段とを備えるユニットパネルを交換することによって、品種の異なる磁気テープに対応してそれぞれ適切なサーボ信号を書き込み、また、書き込まれたサーボ信号を検査することが可能になる。
【００１０】
さらに、本発明の第３の解決手段に係るサーボライタは、磁気テープにサーボ信号を書き込むとともに、書き込まれたサーボ信号を読み取って検査するサーボライタであって、サーボライタ本体と、前記サーボライタ本体に設けられたパネル交換部に、前記サーボ信号が書き込まれる磁気テープの品種に応じて交換可能に装着される複数の第１ユニットパネルおよび複数の第２ユニットパネルとを備え、前記複数の第１ユニットパネルは、前記磁気テープにサーボ信号を書き込むサーボ信号書込ヘッドと、前記サーボ信号書込ヘッドによるサーボ信号の書込みを制御する書込み副制御手段とを備え、前記サーボ信号書込ヘッドおよび前記書込み副制御手段は、前記磁気テープの品種に応じて所定のサーボ信号を前記磁気テープに書き込み可能に構成され、前記第２ユニットパネルは、前記磁気テープに書き込まれたサーボ信号を読み取るサーボ信号読取ヘッドと、前記サーボ信号読取ヘッドによって読み取られたサーボ信号を増幅する増幅手段とを備え、前記サーボ信号読取ヘッドおよび前記増幅手段は、前記磁気テープの品種に応じて前記磁気テープに書き込まれるサーボ信号を読取り可能に構成され、前記サーボライタ本体は、前記サーボ信号書込ヘッドによる前記磁気テープへのサーボ信号の書込みを主制御するサーボ信号主制御手段と、前記増幅手段から送信された、増幅されたサーボ信号を処理してサーボ信号を検査するサーボ信号検査手段とを備えることを特徴とする。
【００１１】
このサーボライタでは、サーボライタ本体に設けられたパネル交換部に、サーボ信号書込ヘッドと、書込み副制御手段とを備える第１ユニットパネル、ならびにサーボ信号読取ヘッドと、増幅手段とを備える第２ユニットパネルを、磁気テープの品種に応じてそれぞれ独立に交換することによって、品種の異なる磁気テープに対応してそれぞれ適切なサーボ信号を書き込み、また、書き込まれたサーボ信号を検査することが可能になる。
【００１２】
さらにまた、本発明は、前記のサーボライタを用いて、磁気テープの品種を識別してその磁気テープに所定のサーボ信号を書き込めるように、前記ユニットパネルまたは第１ユニットパネルおよび／または第２ユニットパネルを交換することを特徴とするサーボ信号の書込・検査方法を提供する。
【００１３】
このサーボ信号の書込・検査方法では、磁気テープの品種を識別してその磁気テープに書き込むサーボ信号に応じて、前記第１ユニットパネルおよび／または第２ユニットパネルを交換することによって、短時間で品種の異なる磁気テープに対応することができる。
【発明の効果】
【００１４】
本発明のサーボライタは、ユニットパネルを交換することによって、品種の異なる磁気テープに対してそれぞれ適切なサーボ信号を書き込み、また、書き込まれたサーボ信号を検査できる。したがって、このサーボライタにおいて、各品種に対応したサーボ信号書込ヘッド、サーボ信号読取ヘッド等を搭載したユニットパネルまたは第１ユニットパネルおよび第２ユニットパネルを用意しておき、磁気テープの品種に応じて各ユニットパネルを適宜交換すれば、１台のサーボライタで各種の磁気テープに適切なサーボ信号を書き込むことが可能となる。そのため、容易に生産品目の切り替えが可能になるとともに、多種多様な磁気テープを必要最小限の台数のサーボライタで適時適量生産することが可能になり、製品毎に特化したサーボライタ設備を持たなくて済む利点がある。また、サーボ信号書込ヘッド、サーボ信号読取ヘッド等を交換するために、サーボライタを長時間停止させる必要がなく、生産性とコストの点で有利である。
【００１５】
また、本発明のサーボ信号の書込・検査方法によれば、磁気テープの品種を識別してその磁気テープに書き込むサーボ信号に応じて、前記第１ユニットパネルおよび／または第２ユニットパネルを交換することによって、短時間で効率的に品種の異なる磁気テープに対応して、適切なサーボ信号の書込みおよび書き込んだサーボ信号の検査を行なうことができる。
【発明を実施するための最良の形態】
【００１６】
次に、本発明の実施形態について、適宜図面を参照しながら詳細に説明する。
図１は、本発明の第１実施形態に係るサーボライタの概略構成を示す模式図である。
図１に示すサーボライタ１は、サーボライタ本体２と、そのサーボライタ本体２に交換可能に装着され、サーボ信号書込ヘッド７、サーボ信号読取ヘッド８、書込み副制御手段９およびアンプ（増幅手段）１０が配設された複数のユニットパネル３，３とを備える。なお、図１には、２つのユニットパネル３が具体的に図示されているが、後述のとおり、サーボライタ１がサーボ信号を書き込むことを予定する磁気テープの品種数に応じて適当な数のユニットパネル３が用意されるものとする。
【００１７】
サーボライタ本体２は、磁気テープＭＴを送り出すための送出リール４と、送出リール４から送り出される磁気テープＭＴを巻き取るための巻取リール５と、送出リール４から送り出された磁気テープＭＴの走行方向を案内するガイドローラ６とを備える。また、サーボライタ本体２には、電源装置（図示せず）、磁気テープＭＴの張力を所定張力に調整するための張力調節装置（図示せず）、張力検出装置、速度調整装置、速度検出装置等の各種装置が配設されている。
【００１８】
送出リール４には、サーボパターンを書き込む前に幅広のウェブ原反から製品幅に裁断された磁気テープＭＴが大径巻のパンケーキでセットされている。巻取リール５は、送出リール４から送り出された磁気テープＭＴを巻き取るように構成されている。
【００１９】
そして、サーボライタ本体２は、サーボ信号主制御手段１１と、サーボ信号検査手段１２とを備える。
【００２０】
サーボ信号主制御手段１１は、サーボ信号書込ヘッド７による磁気テープＭＴへのサーボ信号の書込みを主制御するものである。このサーボ信号主制御手段１１は、ユニットパネル３に配設される書込み副制御手段９に接続され、書込み副制御手段９によるサーボ信号のサーボパターンの生成およびサーボ信号書込ヘッド７による磁気テープＭＴへのサーボ信号の書込みを制御する。例えば、磁気テープＭＴに書き込むべき磁気テープ毎の固有のデジタル情報（生産日、シリアルナンバー等）に関するデータをサーボ信号主制御手段１１から書込み副制御手段９に送信する。書込み副制御手段９は、そのデータを元に磁気テープＭＴに書き込むサーボ信号を生成してサーボ信号書込ヘッド７による磁気テープＭＴへのサーボ信号の書込みを制御する。
【００２１】
サーボ信号検査手段１２は、ユニットパネル３に配設されたアンプ（増幅手段）１０に接続され、サーボ信号読取ヘッド８によって磁気テープＭＴから読み取られ、アンプ（増幅手段）１０で増幅されたサーボ信号を受信して、増幅されたサーボ信号を処理してサーボ信号を検査するものである。このサーボ信号検査手段１２は、例えば、比較、演算、記憶等をすることができる一般的なコンピュータや、専用の回路により構成され、予め記憶しておいたサーボ信号のパターンと、実際にサーボ信号読取ヘッド８で読み取られ、アンプ１０から送信されたサーボ信号のパターンとを比較して、サーボ信号の品質を評価する。具体的には、タイミングベースドサーボ（Timing  Based  Servo；以下、ＴＢＳという）信号を書き込まれた磁気テープＭＴの場合には、サーボ信号読取ヘッド８により再生されるハの字状に複数対配列されたサーボ信号から生成される各パルスピークの強度、各パルスピークの間の時間間隔等が所定の検査基準に適合するものであるか否かを判定して、磁気テープＭＴに書き込まれたサーボ信号の品質を評価する。
【００２２】
次に、ユニットパネル３は、磁気テープＭＴにサーボ信号を書き込むサーボ信号書込ヘッド７と、磁気テープＭＴに書き込まれたサーボ信号を読み取るサーボ信号読取ヘッド８と、サーボ信号書込ヘッド７による磁気テープＭＴへのサーボ信号の書込みを制御する書込み副制御手段９と、サーボ信号読取ヘッド８によって読み取られたサーボ信号を増幅するアンプ（増幅手段）１０とを備える。
【００２３】
このユニットパネル３は、例えば、図２に示すように、パネル基板１３の表面に、磁気テープの走行方向に沿って上流側に配設されたサーボ信号書込ヘッド７と、下流側に配設されたサーボ信号読取ヘッド８とが配設され、書込み副制御手段９とアンプ１０とを構成する制御回路部１４（図２に破線で示す）が、パネル基板１３の表面もしくは裏面に取り付けられて構成される。このユニットパネル３は、サーボライタ本体２に設けられたパネル交換部１５（図１参照）に交換可能に装着される。
【００２４】
サーボ信号書込ヘッド７は、磁気テープＭＴとの摺接面７ａ（図３参照）に書込ギャップが形成されている。書込ギャップは、その平面形状が、例えば、ＴＢＳ信号を書き込む場合には、ハの字状になっている。そして、サーボ信号書込ヘッド７には、磁気テープＭＴの幅方向に等間隔に並ぶように複数の書込ギャップが形成されている。書込ギャップのそれぞれは、サーボ信号書込ヘッド７の図示しないコイルに書き込み副制御手段９から負荷されるパルス電流が付与されることによって、摺接面７ａから磁気テープＭＴ側に向けて漏れ出る漏れ磁束を生起するようになっている。つまり、書込ギャップは、供給されるパルス電流で断続的に発生する漏れ磁束によって、磁気テープＭＴの走行方向Ｄ（磁気テープＭＴの長手方向）に沿う方向にハの字状のサーボパターンが連なった互いに平行な複数のサーボバンドを連続的に記録するようになっている。
【００２５】
そして、サーボ信号書込ヘッド７には、図２および図３に示すように、磁気テープＭＴの走行方向に沿ってその上流側および下流側に、サーボ信号書込ヘッド７に摺動する磁気テープＭＴの幅方向の位置を規制するテープガイド１６ａ，１６ｂが配設されている。テープガイド１６ａ，１６ｂの磁気テープＭＴに対する接触面１６ｃは磁気テープＭＴの記録面に滑らかに摺動させるため円弧状となっており、テープガイド１６ａ，１６ｂのパネルサイド側およびヒューマンサイド側の端部には、磁気テープＭＴの走行方向に沿わせてフランジ１６ｄおよびフランジ１６ｅが形成されている。このテープガイド１６ａ，１６ｂによって、磁気テープＭＴの幅方向の位置が極めて正確に規制され、サーボ信号書込ヘッド７により、所定の位置にサーボ信号が記録される。
【００２６】
サーボ信号読取ヘッド８は、上流側に配置されたサーボ信号書込ヘッド７によって磁気テープＭＴに書き込まれたサーボ信号を読み取り、読み取られたサーボ信号は、制御回路部１４のアンプ１０に送信される。このサーボ信号読取ヘッド８は、必要に応じて、前記サーボ信号書込ヘッド７と同様のテープガイドを備えるものでもよい。このサーボ信号読取ヘッド８は、サーボ信号書込ヘッド７が磁気テープＭＴの品種に対応してその磁気テープＭＴに書き込むサーボ信号に応じて、そのサーボ信号を正確に読み取れるように構成される。例えば、サーボ信号書込ヘッド７によって磁気テープＭＴに書き込まれるサーボ信号のサーボパターン、トラック数、サーボバンドの間隔等に対応して形成されたギャップ形状を有する。このサーボ信号読取ヘッド８の構成は、ユニットパネル３がサーボ信号の書込みおよび検査を行う磁気テープＭＴの品種、検査基準等に応じて適宜決定される。
【００２７】
サーボ信号読取ヘッド８には、図２に示すように、その上流側および下流側に、磁気テープＭＴをサーボ信号読取ヘッド８に沿わせて走行させるためのガイド１７ａ，１７ｂが配設されている。このガイド１７ａ，１７ｂは、磁気テープＭＴを幅方向に規制し、サーボ信号読取ヘッド８に摺接させるものである。ガイド１７ａ，１７ｂは、図４に示すように、円柱状の案内部１７ｃの両端に、案内部１７ｃより径が大きい鍔状のフランジ１７ｄ，１７ｄを有しており、ユニットパネル３に固定されている。
【００２８】
制御回路部１４に設けられる書込み副制御手段９（図１、図２参照）は、サーボライタ本体２に設けられたサーボ信号主制御手段１１に接続可能に構成され、ユニットパネル３がサーボライタ本体２のパネル交換部１５に装着されたときに、サーボ信号主制御手段１１に接続される。この書込み副制御手段９は、サーボ信号主制御手段１１から制御信号を受信すると、磁気テープＭＴに書き込むサーボ信号電流パルスをサーボ信号書込ヘッド７に送信するものである。この書込み副制御手段９は、サーボ信号を書き込む磁気テープＭＴの品種に応じて、所定のサーボパターンのサーボ信号電流パルスを、サーボ信号書込ヘッド７に供給して、サーボ信号書込ヘッド７によって磁気テープＭＴのサーボバンドにサーボ信号を書き込む。例えば、ＴＢＳ信号を磁気テープＭＴに書き込む場合には、基準クロックに基づいて所定のサーボ信号パルス電流を生成して、これをサーボ信号書込ヘッド７に送信する。
【００２９】
また、アンプ１０は、サーボ信号読取ヘッド８によって磁気テープＭＴから読み取られたサーボ信号を増幅して、サーボライタ本体２に設けられたサーボ信号検査手段１２に増幅したサーボ信号を送信するものである。このアンプ１０は、ユニットパネル３のサーボ信号書込ヘッド７によって磁気テープＭＴにその磁気テープＭＴの品種に応じて書き込まれるサーボ信号に対応して、そのサーボ信号を所定の信号強度まで増幅できるように構成される。例えば、ゲイン６０ｄＢ、周波数特性として数ＭＨｚのローパスフィルタ、Ｓ／Ｎが２０ｄＢ以上の能力を備えるアンプが好ましい。
【００３０】
これらの書込み副制御手段９およびアンプ１０を構成する制御回路部１４は、ユニットパネル３をサーボライタ本体２に装着する際に、サーボライタ本体２に設けられた連結部（図示せず）に連結され、書込み副制御手段９がサーボ信号主制御手段１１に、アンプ１０がサーボ信号検査手段１２に接続されるように構成されている。
【００３１】
このユニットパネル３は、サーボライタ本体２のパネル交換部１５（図１参照）に交換可能に装着される。このユニットパネル３のパネル交換部１５は、特に制限されないが、例えば、図５に示すような構造を採用することができる。図５に示すパネル交換部１５は、ユニットパネル３のパネル基板１３の３箇所に嵌装された位置調整ネジ１８を、サーボライタ本体２に前記位置調整ネジ１８に対応して設けられた嵌合台１９に所定のトルクで押し当てることによって、所定の位置にユニットパネル３を取り付けることが可能となる。嵌合台１９には、パネル基板１３の上面に当接して、パネル基板１３をサーボライタ本体２に向けて押圧する押さえ部２０が配設されている。この図５に示す構造を採用することによって、
ユニットパネル３の交換の際、ユニットパネル３の位置調整ネジ１８を、サーボライタ本体２の嵌合台１９に当接するとともに、押さえ部２０を所定のトルクで押圧することによって、毎回再現性を持って同様の位置にユニットパネル３を取りつけることが可能となる。また、ユニットパネル３の脱着は、押さえ部２０を緩めるだけで行うことができ、再度取り付ける際には、位置調整ネジ１８の位置を調整することなく、パネル高さを再現できる。
【００３２】
したがって、サーボライタ１がサーボ信号を書き込むことを予定する磁気テープＭＴの品種に応じて、適切なサーボ信号書込ヘッド７、サーボ信号読取ヘッド８、書込み副制御手段９およびアンプ１０をパネル基板１３に配設して構成される複数のユニットパネル３を用意しておけば、製造する磁気テープＭＴの品種に対応して、その品種に適合するユニットパネル３をサーボライタ本体２のパネル交換部１５に装着して、磁気テープＭＴの生産に備えることができる。このとき、例えば、図５に示すように、サーボライタ本体２のパネル交換部１５に設けられた嵌合台１９に前記位置調整ネジ１８によってユニットパネル３を装着し、押さえ部２０によってパネル基板１３を固着することによって、迅速にユニットパネル３を交換することができる。ここで、ユニットパネル３は、磁気テープＭＴの品種および磁気テープＭＴに書き込まれるサーボ信号に関する情報（例えば、トレーサビリティやパネルの凹凸、もしくは色、質量、ヘッドの抵抗値等の情報）等を示す識別標識を有することが好ましい。この識別標識によって、そのユニットパネル３が、対応する磁気テープＭＴの品種を明確に識別して、適切かつ迅速にユニットパネル３を交換して、磁気テープＭＴの品種に応じて適切なサーボ信号を書き込み、書き込んだサーボ信号を検査することが可能となるため、有効である。
一方、サーボライタ本体２に切り換え手段を設け、この切り換え手段によって、前記磁気テープの品種に応じて、書込・検査パターンを切り換えて、前記磁気テープに所定のサーボ信号を書き込み、書き込まれたサーボ信号を読み取って検査できるようにすることもできる。
【００３３】
このサーボライタ１は、サーボ信号を書き込む磁気テープＭＴの品種に応じて、パネル交換部１５に所定のユニットパネル３を装着する。すなわち、その磁気テープＭＴに書き込まれるサーボパターン等に応じて配設されたサーボ信号書込ヘッド７および書込み副制御手段９、また、書き込まれるサーボ信号の検査基準に応じて配設されたサーボ信号読取ヘッド８およびアンプ１０を備えるユニットパネル３を選択して、パネル交換部１５に装着する。このとき、ユニットパネル３に付加される識別標識によって、各ユニットパネル３が対応する磁気テープＭＴの品種を識別することができる。そして、書込み副制御手段９およびアンプ１０は、それぞれサーボライタ本体２のサーボ信号主制御手段１１およびサーボ信号検査手段１２に接続される。
【００３４】
次に、サーボライタ１において、送出リール４から引き出された磁気テープＭＴが、ガイドローラ６、テープガイド１６ａ、サーボ信号書込ヘッド７、テープガイド１６ｂ、ガイド１７ａ、サーボ信号読取ヘッド８、ガイド１７ｂ、さらにその他のガイドローラに掛け渡されるとともに、引き出された磁気テープＭＴの端部が巻取リール５の芯部に取り付けられる。そして、駆動装置（図示せず）によって巻取リール５が回転駆動されると、磁気テープＭＴは、送出リール４から巻取リール５に向けて送り出されていく。そして、磁気テープＭＴは、テープガイド１６ａ，１６ｂによって幅方向を規制されながら、サーボ信号書込み７の摺接面に摺接して、書込み副制御手段９から入力されるサーボ信号電流パルスによって、磁気テープＭＴの磁性面上のサーボトラックに所定のサーボ信号を書き込む。サーボ信号が書き込まれた磁気テープＭＴは、ガイド１７ａ，１７ｂによって幅方向を規制されながら、サーボ信号読取ヘッド８に摺接して、書き込まれたサーボ信号が読み取られる。サーボ信号読取ヘッド８によって読み取られたサーボ信号は、アンプ１０によって増幅され、サーボライタ本体２のサーボ信号検査手段１２に入力される。サーボ信号検査手段１２は、増幅されたサーボ信号を処理してサーボ信号を検査する。
このようにして、サーボ信号のパターンを比較して、書き込まれたサーボ信号の品質を評価する。
さらに、異なる品種の磁気テープＭＴの製造に切り換えるためには、新たな磁気テープＭＴの品種に応じて、迅速にその磁気テープＭＴに書き込まれるサーボパターン等に応じて配設されたサーボ信号書込ヘッド７および書込み副制御手段９、また、書き込まれるサーボ信号の検査基準に応じて配設されたサーボ信号読取ヘッド８およびアンプ１０を備えるユニットパネル３を選択して、パネル交換部１５に装着して、新たな磁気テープＭＴの生産に即応することができる。このとき、磁気テープＭＴの品種に応じて、走行系のテンション、スピード等のパラメータ変更も行う。
【００３５】
次に、図６は、本発明の第２の実施形態に係るサーボライタ６１を示す概略平面図である。
図６に示すサーボライタ６１は、前記第１の実施形態のサーボライタ１におけるユニットパネル３を、サーボ信号書込ヘッド７および書込み副制御手段９を備える第１ユニットパネル１３１と、サーボ信号読取ヘッド８およびアンプ１０を備える第２ユニットパネル１３２とに、それぞれ独立のパネル基板に配設して構成されていることを除いて、第１の実施形態のユニットパネル３と同様の構成を有するものである。したがって、重複する記載は、省略する。
【００３６】
このサーボライタ６１では、サーボ信号書込ヘッド７と、サーボ信号読取ヘッド８とを、それぞれ異なるパネル基板３１，３２に配設して、独立した第１ユニットパネル１３１と第２ユニットパネル１３２を有する。したがって、これらの第１ユニットパネル１３１および第２ユニットパネル１３２を、装着するサーボライタ６１によってサーボ信号が書き込まれる磁気テープＭＴの品種数、あるいはバリエーションに応じて適当な数用意して、磁気テープＭＴの品種に応じて、第１ユニットパネル１３１と第２ユニットパネル１３２を交換してサーボライタ本体６２に装着すれば、多種多様な磁気テープのサーボ信号パターン、検査基準に対応して、迅速に対応することができる。
また、このサーボライタ６１において、第１ユニットパネル１３１は、テープガイド１６ａ，１６ｂを備え、第２ユニットパネル１３２は、ガイド１７ａ，１７ｂを備える。
【００３７】
この第２の実施形態においても、第１ユニットパネル１３１および第２ユニットパネル１３２を入れ替えるだけで、磁気テープＭＴに書き込むサーボ信号と、検査するパターンを容易に変更することができ、異なった品種の磁気テープＭＴに対応して、適切なサーボ信号を書き込み、書き込まれたサーボ信号を検査して評価することが可能になる。このとき、第１ユニットパネル１３１のみを交換することもできるし、第２ユニットパネル１３２のみを交換することもできる。したがって、既設の第１ユニットパネル１３１および第２ユニットパネル１３２のうち、第１ユニットパネル１３１のみを交換してサーボ信号書込ヘッドと書込み副制御手段９とを交換すれば、次にサーボ信号を書き込む予定の磁気テープＭＴの品種に対応できる場合は、第１ユニットパネル１３１を交換する作業だけで済むので有効である。また、サーボ信号読取ヘッド８のみを交換するだけでよい場合も好都合である。さらに、第１ユニットパネル１３１と第２ユニットパネル１３２とを組み合せることによって、機動的に磁気テープＭＴの品種に適合したサーボ信号パターン、検査パターン等に対応することが可能である。
【００３８】
以上、本発明の実施形態について説明したが、本発明は前記実施形態には限定されず、適宜変形して実施することが可能である。例えば、サーボ信号書込ヘッド７は、ユニットパネル３または第１ユニットパネル１３１に１つに限られず、複数配置可能である。また、書込み副制御手段９とアンプ１０は、サーボ信号書込ヘッド７およびサーボ信号読取ヘッド８が配置されるユニットパネル３または第１ユニットパネル１３１もしくは第２ユニットパネル１３２に配設する必要はなく、別のユニットとして構成することも可能である。
【図面の簡単な説明】
【００３９】
【図１】本発明の第１実施形態に係るサーボライタの概略を示す図である。
【図２】ユニットパネルの構成を示す概略斜視図である。
【図３】第１実施形態に係るサーボライタのサーボ信号書込ヘッドの拡大斜視図である。
【図４】第１実施形態に係るサーボライタのサーボ信号読取ヘッドの拡大斜視図である。
【図５】第１実施形態に係るサーボライタにおけるユニットパネルの取付け構造を示す図である。
【図６】本発明の第２実施形態に係るサーボライタの概略を示す図である。
【符号の説明】
【００４０】
１      サーボライタ
２      サーボライタ本体
３      ユニットパネル
４      送出リール
５      巻取リール
６      ガイドローラ
７      サーボ信号書込ヘッド
７ａ    摺接面
８      サーボ信号読取ヘッド
９      副制御手段
１０    アンプ（増幅手段）
１１    サーボ信号主制御手段
１２    サーボ信号検査手段
１３    パネル基板
１４    制御回路部
１５    パネル交換部
【図１】
2006079739.tif 000003
【図２】
2006079739.tif 000004
【図３】
2006079739.tif 000005
【図４】
2006079739.tif 000006
【図５】
2006079739.tif 000007
【図６】
2006079739.tif 000008
【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
磁気テープにサーボ信号を書き込むとともに、書き込まれたサーボ信号を読み取って検査するサーボライタであって、
サーボライタ本体と、前記サーボライタ本体に設けられたパネル交換部に、前記サーボ信号が書き込まれる磁気テープの品種に応じて交換可能に装着される複数のユニットパネルとを備え、
前記複数のユニットパネルは、それぞれ前記磁気テープにサーボ信号を書き込むサーボ信号書込ヘッドと、前記サーボ信号書込ヘッドによるサーボ信号の書込みを制御する書込み副制御手段とを備え、前記サーボ信号書込ヘッドおよび前記書込み副制御手段は、前記磁気テープの品種に応じて所定のサーボ信号を前記磁気テープに書き込み可能に構成され、
前記サーボライタ本体は、前記サーボ信号書込みヘッドによる前記磁気テープへのサーボ信号の書込みを主制御するサーボ信号主制御手段と、前記磁気テープに書き込まれたサーボ信号を読み取るサーボ信号読取ヘッドと、読み取られたサーボ信号を処理してサーボ信号を検査するサーボ信号検査手段とを備えることを特徴とするサーボライタ。
【請求項２】
前記ユニットパネルは、前記サーボ信号書込みヘッドに摺接して走行する磁気テープの幅方向の位置を規制するテープガイド部を備えることを特徴とする請求項１に記載のサーボライタ。
【請求項３】
前記ユニットパネルに設けられた識別子および／または前記サーボライタ本体に設けられた切り換え手段によって、前記磁気テープの品種に応じて、前記磁気テープに所定のサーボ信号を書き込み、書き込まれたサーボ信号を読み取って検査できるようにしたことを特徴とする請求項１または請求項２に記載のサーボライタ。
【請求項４】
磁気テープにサーボ信号を書き込むとともに、書き込まれたサーボ信号を読み取って検査するサーボライタであって、
サーボライタ本体と、前記サーボライタ本体に設けられたパネル交換部、前記サーボ信号が書き込まれる磁気テープの品種に応じて交換可能に装着される複数のユニットパネルとを備え、
前記ユニットパネルは、前記磁気テープにサーボ信号を書き込むサーボ信号書込ヘッドと、前記磁気テープに書き込まれたサーボ信号を読み取るサーボ信号読取ヘッドと、前記サーボ信号書込ヘッドによるサーボ信号の書込みを制御する書込み副制御手段と、前記サーボ信号読取ヘッドによって読み取られたサーボ信号を増幅する増幅手段とを備え、前記サーボ信号書込ヘッド、前記サーボ信号読取ヘッド、前記書込み副制御手段および前記増幅手段は、前記磁気テープの品種に応じて所定のサーボ信号を前記磁気テープに書き込み可能および読取り可能に構成され、
前記サーボライタ本体は、前記サーボ信号書込みヘッドによる前記磁気テープへのサーボ信号の書込みを主制御するサーボ信号主制御手段と、前記増幅手段から送信される、増幅されたサーボ信号を処理してサーボ信号を検査するサーボ信号検査手段とを備えることを特徴とするサーボライタ。
【請求項５】
前記ユニットパネルは、前記サーボ信号書込みヘッドに摺接して走行する磁気テープの幅方向の走行を規制するテープガイド部と、前記サーボ信号読取ヘッドに摺接する磁気テープの幅方向の位置を規制するテープガイド部とを備えることを特徴とする請求項４に記載のサーボライタ。
【請求項６】
前記ユニットパネルに設けられた識別子および／または前記サーボライタ本体に設けられた切り換え手段によって、前記磁気テープの品種に応じて、前記磁気テープに所定のサーボ信号を書き込み、書き込まれたサーボ信号を読み取って検査できるようにしたことを特徴とする請求項４または請求項５に記載のサーボライタ。
【請求項７】
請求項１ないし請求項６のいずれか１項に記載のサーボライタを用いて、磁気テープの品種を識別してその磁気テープに所定のサーボ信号を書き込めるように、前記ユニットパネルを交換することを特徴とするサーボ信号の書込・検査方法。
【請求項８】
磁気テープにサーボ信号を書き込むとともに、書き込まれたサーボ信号を読み取って検査するサーボライタであって、
サーボライタ本体と、前記サーボライタ本体に設けられたパネル交換部に、前記サーボ信号が書き込まれる磁気テープの品種に応じて交換可能に装着される複数の第１ユニットパネルおよび複数の第２ユニットパネルとを備え、
前記複数の第１ユニットパネルは、前記磁気テープにサーボ信号を書き込むサーボ信号書込ヘッドと、前記サーボ信号書込ヘッドによるサーボ信号の書込みを制御する書込み副制御手段とを備え、前記サーボ信号書込ヘッドおよび前記書込み副制御手段は、前記磁気テープの品種に応じて所定のサーボ信号を前記磁気テープに書き込み可能に構成され、
前記第２ユニットパネルは、前記磁気テープに書き込まれたサーボ信号を読み取るサーボ信号読取ヘッドと、前記サーボ信号読取ヘッドによって読み取られたサーボ信号を増幅する増幅手段とを備え、前記サーボ信号読取ヘッドおよび前記増幅手段は、前記磁気テープの品種に応じて前記磁気テープに書き込まれるサーボ信号を読取り可能に構成され、
前記サーボライタ本体は、前記サーボ信号書込みヘッドによる前記磁気テープへのサーボ信号の書込みを主制御するサーボ信号主制御手段と、前記増幅手段から送信された、増幅されたサーボ信号を処理してサーボ信号を検査するサーボ信号検査手段とを備えることを特徴とするサーボライタ。
【請求項９】
前記第１ユニットパネルは、前記サーボ信号書込みヘッドに摺接して走行する磁気テープの幅方向の走行を規制するテープガイド部を備え、前記第２ユニットパネルは、前記サーボ信号読取ヘッドに摺接する磁気テープの幅方向の位置を規制するテープガイドを備えることを特徴とする請求項８に記載のサーボライタ。
【請求項１０】
前記第１ユニットパネルおよび第２ユニットパネルに設けられた識別子および／または前記サーボライタ本体に設けられた切り換え手段によって、前記磁気テープの品種に応じて、前記磁気テープに所定のサーボ信号を書き込み、書き込まれたサーボ信号を読み取って検査できるようにしたことを特徴とする請求項８または請求項９に記載のサーボライタ。
【請求項１１】
請求項８ないし請求項１０のいずれか１項に記載のサーボライタを用いて、前記磁気テープの品種を識別してその磁気テープに所定のサーボ信号を書き込めるように、前記第１ユニットパネルおよび／または第２ユニットパネルを交換することを特徴とするサーボ信号の書込・検査方法。